(57)【要約】      （修正有）【課題】  液晶表示パネルの異物質による汚染を抑制することができる液晶表示パネル支持体、これを用いたバックライトアセンブリ及び液晶表示装置を提供する。【解決手段】  液晶表示パネル支持体は、第１サポートフレーム、第２サポートフレーム及び異物質障壁を含む。第１サポートフレームは液晶表示パネルを支持し、液晶表示パネルに光を供給するための開口を有する。第２サポートフレームは、第１サポートフレームの縁から突出して液晶表示パネルの側面を囲む。異物質障壁は、第１サポートフレームの液晶表示パネルに対応する面に配置されて、第１サポートフレームと液晶表示パネルとの間に異物質が流入することを防止する。液晶表示パネル支持体が異物質障壁を含むことにより、外部から支持体と液晶表示パネルとの間に異物質が流入することを防止して、映像の表示品質を向上させることができる。【選択図】  図１
2005321614.tif 000002
【特許請求の範囲】
【請求項１】
液晶表示パネルを支持し、前記液晶表示パネルに光を供給するための開口を有する第１サポートフレームと、
前記第１サポートフレームの縁から突出して前記液晶表示パネルの側面を囲む第２サポートフレームと、
前記第１サポートフレームの前記液晶表示パネルに対応する面に配置されて前記第１サポートフレームと前記液晶表示パネルとの間に異物質が流入することを防止する異物質障壁と、
を含むことを特徴とする液晶表示パネル支持体。
【請求項２】
前記異物質障壁は、前記第１サポートフレームの前記液晶表示パネルに対応する面に配置された凹部を含むことを特徴とする請求項１記載の液晶表示パネル支持体。
【請求項３】
前記異物質障壁は、前記第１サポートフレームの前記液晶表示パネルに対応する面に配置され、前記第１サポートフレームの前記開口を囲む溝を含むことを特徴とする請求項１記載の液晶表示パネル支持体。
【請求項４】
前記異物質障壁は、前記溝の内部に、前記異物質を付着する両面接着テープを更に含むことを特徴とする請求項３記載の液晶表示パネル支持体。
【請求項５】
前記異物質障壁は、前記溝の内部に配置された複数個の突起を更に含むことを特徴とする請求項３記載の液晶表示パネル支持体。
【請求項６】
前記異物質障壁は、前記第１サポートフレームの前記液晶表示パネルに対応する面に配置された第１突起を含むことを特徴とする請求項１記載の液晶表示パネル支持体。
【請求項７】
前記第１突起は、前記第１サポートフレームの前記開口を囲む帯形状に配置されたことを特徴とする請求項６記載の液晶表示パネル支持体。
【請求項８】
前記異物質障壁は、前記第１突起と前記第２サポートフレームとの間に配置された溝を更に含むことを特徴とする請求項６記載の液晶表示パネル支持体。
【請求項９】
前記異物質障壁は、前記溝の内部に配置された第２突起を更に含むことを特徴とする請求項８記載の液晶表示パネル支持体。
【請求項１０】
前記異物質障壁は、前記溝の内部に配置された両面接着テープを更に含むことを特徴とする請求項８記載の液晶表示パネル支持体。
【請求項１１】
前記異物質障壁は、前記第１サポートフレームの前記液晶表示パネルに対応する面に配置されて前記第１サポートフレームの前記開口を囲んで相互離隔する複数の隔壁と、前記隔壁の間に配置されて外部から加わる衝撃を吸収するための緩衝部材と、を含むことを特徴とする請求項１記載の液晶表示パネル支持体。
【請求項１２】
前記緩衝部材は、ゴム、シリコン化合物、活性炭、綿又は超極細糸を含むことを特徴とする請求項１１記載の液晶表示パネル支持体。
【請求項１３】
前記異物質障壁は、前記隔壁と前記第２サポートフレームとの間に配置された溝を更に含むことを特徴とする請求項１１記載の液晶表示パネル支持体。
【請求項１４】
前記異物質障壁は、前記溝の内部に配置された両面接着テープを更に含むことを特徴とする請求項１３記載の液晶表示パネル支持体。
【請求項１５】
前記異物質障壁は、前記溝の内部に配置された突起を更に含むことを特徴とする請求項１３記載の液晶表示パネル支持体。
【請求項１６】
前記異物質障壁は、前記第１サポートフレームの前記液晶表示パネルに対応する面に配置されて前記第１サポートフレームの開口を囲む凸凹部と、前記凸凹部の上面に配置されて外部から加わる衝撃を吸収する緩衝部材と、を含むことを特徴とする請求項１記載の液晶表示パネル支持体。
【請求項１７】
前記緩衝部材が、ゴム、シリコン化合物、活性炭、綿又は超極細糸を含むことを特徴とする請求項１６記載の液晶表示パネル支持体。
【請求項１８】
前記異物質障壁は、前記凸凹部と第２サポートフレームとの間に配置された溝を更に含むことを特徴とする請求項１６記載の液晶表示パネル支持体。
【請求項１９】
前記異物質障壁は、前記溝の内部に配置された両面接着テープを更に含むことを特徴とする請求項１８記載の液晶表示パネル支持体。
【請求項２０】
第１底面及び前記第１底面の縁に配置されて収納空間を形成する第１側壁を含む第１収納容器と、
前記収納空間に配置されて光を発生させるランプユニットと、
液晶表示パネルを支持して前記液晶表示パネルに前記光を供給するための開口を有する第１サポートフレームと、前記第１サポートフレームから突出して前記液晶表示パネルの側面を囲む第２サポートフレームと、前記第１サポートフレームの前記液晶表示パネルに対応する面に配置されて前記第１サポートフレームと前記液晶表示パネルとの間に異物質が流入することを防止する異物質障壁とを有する液晶表示パネル支持体と、
第２底面及び前記第２底面の縁に配置されて前記第１収納容器の第１側壁を囲む第２側壁を有する第２収納容器と、
を含むことを特徴とするバックライトアセンブリ。
【請求項２１】
前記異物質障壁は、前記第１サポートフレームの前記液晶表示パネルに対応する面に配置された凹部を含むことを特徴とする請求項２０記載のバックライトアセンブリ。
【請求項２２】
前記異物質障壁は、前記第１サポートフレームの前記液晶表示パネルに対応する面に配置されて前記第１サポートフレームの前記開口を囲む溝であることを特徴とする請求項２１記載のバックライトアセンブリ。
【請求項２３】
前記異物質障壁は、前記溝の内部に配置された両面接着テープを更に含むことを特徴とする請求項２２記載のバックライトアセンブリ。
【請求項２４】
前記異物質障壁は、前記第１サポートフレームの前記液晶表示パネルに対応する面に配置されて前記第１サポートフレームの前記開口を囲んで相互離隔される複数の隔壁と、前記隔壁の間に配置されて外部から前記バックライトアセンブリに加わる衝撃を吸収する緩衝部材と、を含むことを特徴とする請求項２０記載のバックライトアセンブリ。
【請求項２５】
前記緩衝部材は、ゴム、シリコン化合物、活性炭、綿又は超極細糸を含むことを特徴とする請求項２４記載のバックライトアセンブリ。
【請求項２６】
前記異物質障壁は、前記第１サポートフレームの前記液晶表示パネルに対応する面に配置されて前記第１サポートフレームの開口を囲む凸凹部と、前記凸凹部の上部に配置されて外部から加わる衝撃を吸収する緩衝部材と、を含むことを特徴とする請求項２０記載のバックライトアセンブリ。
【請求項２７】
前記緩衝部材は、ゴム、シリコン化合物、活性炭、綿又は超極細糸を含むことを特徴とする請求項２６記載のバックライトアセンブリ。
【請求項２８】
第１底面及び前記第１底面の縁に配置されて収納空間を形成する第１側壁を含む第１収納容器と、
前記第１底面に配置されて光を発生させるランプユニットと、
前記光をイメージ光に変更するための液晶表示パネルと、
液晶表示パネルを支持し、前記液晶表示パネルに光を供給するための開口を有する第１サポートフレームと、前記第１サポートフレームの縁から突出して前記液晶表示パネルの側面を囲む第２サポートフレームと、前記第１サポートフレームの前記液晶表示パネルに対応する面に配置されて前記第１サポートフレームと前記液晶表示パネルとの間に異物質が流入することを防止する異物質障壁と、を有する液晶表示パネル支持体と、
第２底面及び前記第２底面の縁に配置されて前記第１収納容器の第１側壁を囲む第２側壁を含む第２収納容器と、
中央部分が開口されて液晶表示パネルの中央部を露出させる上部シャーシ壁及び液晶表示パネルを囲むシャーシ側壁を有するシャーシと、を含む液晶表示装置。
【請求項２９】
前記ランプユニットは、前記光を発生させるランプアセンブリ及び前記ランプアセンブリに結合されて前記光を前記液晶表示パネルへ誘導する導光板を含むことを特徴とする請求項２８記載の液晶表示装置。
【発明の詳細な説明】
【技術分野】
【０００１】
本発明は、液晶表示パネル支持体、これを有するバックライトアセンブリ及び液晶表示装置に関し、特にディスプレイ領域が異物質により汚染されることを防止した液晶表示パネル支持体、これを有するバックライトアセンブリ及び液晶表示装置に関するものである。
【背景技術】
【０００２】
一般に、液晶表示装置（Ｌｉｑｕｉｄ  Ｃｒｙｓｔａｌ  Ｄｉｓｐｌａｙ  ｄｅｖｉｃｅ、ＬＣＤ）は、液晶（Ｌｉｑｕｉｄ  ｃｒｙｓｔａｌ）を用いて映像を表示する。
【０００３】
液晶表示装置は、映像を表示するために、光発生装置、液晶制御装置を含み、光発生装置及び液晶制御装置は収納容器に収納される。
【０００４】
この際、光発生装置と液晶制御装置との間に存在する異物質は、光の進行を妨害して画質を低下させる。
【０００５】
前記液晶表示装置が異物質により汚染されることを防止するために、光発生装置及び液晶制御装置は非常に清浄な環境で製作され、収納容器に組み立てられる。
【０００６】
しかし、大部分の液晶表示装置は、埃、パーティクル、液体汚染源等の異物質が多い環境で動作されるので、多数の異物質により液晶表示装置が汚染され、これにより液晶表示装置の表示品質が低下する場合があるという問題点を有する。
【発明の開示】
【発明が解決しようとする課題】
【０００７】
従って、本発明はこのような従来の問題点を勘案したものであって、本発明の第１目的は、液晶表示パネルの異物質による汚染を抑制することができる液晶表示パネル支持体を提供することにある。
【０００８】
本発明の第２目的は、上述したような液晶表示パネル支持体を含むバックライトアセンブリを提供することにある。
【０００９】
本発明の第３目的は、上述したような液晶表示パネル支持体を含む液晶表示装置を提供することにある。
【課題を解決するための手段】
【００１０】
このような本発明の第１目的を具現するための本発明の一実施例による液晶表示パネル支持体は、第１サポートフレーム、第２サポートフレーム、及び異物質障壁を含む。前記第１サポートフレームは、液晶表示パネルを支持し、前記液晶表示パネルに光を供給するための開口を有する。前記第２サポートフレームは、前記第１サポートフレームの縁から突出して前記液晶表示パネルの側面を囲む。前記異物質障壁は、前記第１サポートフレームの前記液晶表示パネルに対応する面に配置されて前記第１サポートフレームと前記液晶表示パネルとの間に異物質が流入することを防止する。
【００１１】
本発明の第２目的を具現するための本発明の一実施例によるバックライトアセンブリは、第１収納容器、ランプユニット、液晶表示パネル支持体、及び第２収納容器を含む。前記第１収納容器は、第１底面及び前記第１底面の縁に配置されて収納空間を形成する第１側壁を含む。前記ランプユニットは、前記収納空間に配置されて光を発生させる。前記液晶表示パネル支持体は、液晶表示パネルを支持して前記液晶表示パネルに前記光を供給するための開口を有する第１サポートフレームと、前記第１サポートフレームから突出して前記液晶表示パネルの側面を囲む第２サポートフレームと、前記第１サポートフレームの前記液晶表示パネルに対応する面に配置されて前記第１サポートフレームと前記液晶表示パネルとの間に異物質が流入することを防止する異物質障壁とを有する。前記第２収納容器は、第２底面及び前記第２底面の縁に配置されて前記第１収納容器の第１側壁を囲む第２側壁を含む。
【００１２】
本発明の第３目的を具現するための本発明の一実施例による液晶表示装置は、第１収納容器、ランプユニット、液晶表示パネル、液晶表示パネル支持体、第２収納容器、及びシャーシを含む。前記第１収納容器は、第１底面及び前記第１底面の縁に配置されて収納空間を形成する第１側壁を含む。前記ランプユニットは、前記第１底面に配置されて光を発生させる。前記液晶表示パネルは、前記光をイメージ光に変更させる。前記液晶表示パネル支持体は、液晶表示パネルを支持し、前記液晶表示パネルに前記光を供給するための開口を有する第１サポートフレームと、前記第１サポートフレームの縁から突出して前記液晶表示パネルの側面を囲む第２サポートフレームと、前記第１サポートフレームの前記液晶表示パネルに対応する面に配置されて前記第１サポートフレームと前記液晶表示パネルとの間に異物質が流入することを防止する異物質障壁と、を有する。前記第２収納容器は、第２底面及び前記第２底面の縁に配置されて前記第１収納容器の第１側壁を囲む第２側壁を含む。前記シャーシは、中央部分が開口されて液晶表示パネルの中央部を露出させる上部シャーシ壁及び液晶表示パネルを囲むシャーシ側壁を有する。
【００１３】
本発明によると、液晶表示パネル支持体が、異物質障壁を備えることにより、外部から前記支持体と前記液晶表示パネルとの間に異物質が流入することを防止して、映像の表示品質を向上させることができる。
【発明を実施するための最良の形態】
【００１４】
以下、添付図面を参照して本発明の好ましい実施例を詳細に説明する。
【００１５】
（実施例１）
図１は、本発明の実施例１による液晶表示パネル支持体を示した斜視図であり、図２は、図１のＡ−Ａ′断面図である。
【００１６】
図１又は図２を参照すると、液晶表示パネル支持体１００は、液晶表示パネル３００を支持する役割を果たす。液晶表示パネル支持体１００は、中央に形成された開口１０５を有する長方形形状を有する。
【００１７】
液晶表示パネル支持体１００は、第１サポートフレーム１１０、第２サポートフレーム１２０及び異物質障壁１３０を含む。
【００１８】
第１サポートフレーム１１０は、液晶表示パネル３００の底面３１０を支持する。第１サポートフレーム１１０の第１面１１５は、液晶表示パネル３００の底面３１０のエッジに接触される。液晶表示パネル３００の底面３１０及び第１サポートフレーム１１０は長方形形状を有する。
【００１９】
第２サポートフレーム１２０は、第１サポートフレーム１１０から液晶表示パネル３００の側面３２０に沿って延長されて液晶表示パネル３００を囲む。前記液晶表示パネル支持体１００は、射出成形により製作されるか、第１サポートフレーム１１０に第２サポートフレーム１２０を付着して製作することができる。
【００２０】
第２サポートフレーム部１２０は、結合部１２５を含む。結合部１２５は、第１サポートフレーム１１０の外部から突出し、結合部１２５には結合孔１２５ａが形成される。
【００２１】
異物質障壁１３０は、第１サポートフレーム１１０と液晶表示パネル３００の底面３１０との間を異物質が通過することを防止する役割を果たす。
【００２２】
異物質障壁１３０は、液晶表示パネル３００の底面３１０と向かい合う第１サポートフレーム１１０の第１面１１５内に形成される。異物質障壁１３０は、第１面１１５に形成された凹部（ｒｅｃｅｓｓ）を含む。この際、前記異物質障壁１３０は、複数の凹部を含むこともできる。
【００２３】
外部から前記液晶表示パネル３００と前記液晶表示パネル支持体１００との間に流入した異物質は、重力により異物質障壁１３０内に捕獲され、これにより前記異物質が第１サポートフレーム１１０と液晶表示パネル３００の底面３１０との間を通過することが防止される。
【００２４】
このような理由で、第１サポートフレーム１１０の異物質障壁１３０は第１面１１５に形成された凹部を含んで前記異物質を捕獲し、表示性能を向上させることができる。
【００２５】
（実施例２）
図３は、本発明の実施例２による液晶表示パネル支持体を示した部分切開斜視図であり、図４は、図３のＢ部分の拡大図である。
【００２６】
本実施例において、異物質障壁を除いた構成要素は実施例１と同じなので、重複説明は省略する。
【００２７】
図３又は図４を参照すると、異物質障壁１４０は、第１サポートフレーム１１０の第１面１１５に沿って形成された溝（ｇｒｏｏｖｅ）を含む。異物質障壁１４０は第１深さを有し、好ましくは全体的に閉ループ形状に形成することが好ましい。
【００２８】
本実施例では、異物質障壁１４０を溝形状に形成することにより、異物質は重力により異物質障壁１４０で大部分捕獲される。又、異物質障壁１４０は、少なくとも２列以上の溝を含むこともできる。
【００２９】
（実施例３）
図５は、本発明の実施例３による液晶表示パネル支持体の部分切開斜視図であり、図６は、図５のＣ部分の拡大図である。
【００３０】
本実施例において、異物質障壁を除いた構成要素は実施例１と同じなので、重複説明は省略する。
【００３１】
図５又は図６を参照すると、第１サポートフレーム１１０の第１面１１５には異物質障壁１５０が形成される。異物質障壁１５０は、溝１５２及び溝１５２の内部に配置された両面接着テープ１５５を含む。
【００３２】
外部から液晶表示パネル３００の底面３１０と第１サポートフレーム１１０との間に流入した異物質は、重力により溝１５２内に捕獲される。両面接着テープ１５５は、溝１５２内に配置され、捕獲された異物質を表面に付着する。従って、前記付着された異物質は、液晶表示装置が衝撃を受けても、異物質障壁１５０から離脱しない。
【００３３】
異物質障壁１５０が溝１５２及び両面接着テープ１５５を含むことにより、異物質が異物質障壁１５０の内部から外部に出ることを防止することができる。
【００３４】
（実施例４）
図７は、本発明の実施例４による液晶表示パネル支持体を示した部分切開断面図であり、図８は、図７のＤ部分の拡大図である。
【００３５】
本実施例において、異物質障壁を除いた構成要素は実施例１と同じなので、重複説明は省略する。
【００３６】
図７又は図８を参照すると、第１サポートフレーム１１０の第１面１１５には異物質障壁１６０が形成される。異物質障壁１６０は、溝１６２及び溝１６２の内部に形成された複数個の突起１６５を含む。
【００３７】
外部から液晶表示パネル３００の底面３１０と第１サポートフレーム１１０との間に流入した異物質は、重力により溝１６２内に捕獲される。突起１６５は溝１６２内に配置され、捕獲された異物質は突起１６５の間に入り込む。従って、突起１６５の間に入り込んだ異物質は、液晶表示装置が衝撃を受けても異物質障壁１６０から容易に離脱することはできない。
【００３８】
前記溝１６２及び前記突起１６５は、射出成形により前記第１サポートフレーム１１０と共に形成されることができる。
【００３９】
このように、異物質障壁１６０が溝１６２及び溝１６２の内部に形成された多数の突起１６５を含むので、異物質が異物質障壁１６０内に捕獲される。
【００４０】
（実施例５）
図９は、本発明の実施例５による液晶表示パネル支持体を示した斜視図であり、図１０は、図９のＥ部分の拡大図である。
【００４１】
本実施例において、異物質障壁を除いた構成要素は実施例１と同じなので、重複説明は省略する。
【００４２】
図９又は図１０を参照すると、第１サポートフレーム１１０の第１面１１５には、異物質障壁１７０が形成される。異物質障壁１７０は、第１サポートフレーム１１０の第１面１１５に形成された複数個の突起１７５を含む。突起１７５のサイズ及び間隔を調節して異物質の経路長さを増加させて、異物質が通過することを防止する。従って、異物質障壁１７０は、異物質が液晶表示パネル３００の底面３１０及び第１サポートフレーム１１０の第１面１１５を通過することを防止する。好ましくは、突起１７５は、第１サポートフレーム１１０の開口を囲む閉ループの帯形状に配置される。
【００４３】
従って、第１サポートフレーム１１０の第１面１１５に閉ループの帯形状に配置された突起１７５は、異物質が液晶表示パネル３００の底面３１０と第１サポートフレーム１１０の第１面１１５との間に流入することを防止する。
【００４４】
（実施例６）
図１１は、本発明の実施例６による液晶表示パネル支持体を示した部分切開斜視図であり、図１２は、図１１のＦ部分の拡大図である。
【００４５】
本実施例において、異物質障壁を除いた構成要素は実施例１と同じなので、重複説明は省略する。
【００４６】
図１１又は図１２を参照すると、第１サポートフレーム１１０の第１面１１５には、異物質障壁１８０が形成される。異物質障壁１８０は、前記第１面１１５上に配置された突起１８５及び前記第１面１１５上に配置された溝１８７を含む。
【００４７】
溝１８７は、突起１８５と第２サポートフレーム１２０との間に形成される。外部から液晶表示パネルの底面と第１サポートフレーム１１０との間に流入した異物質の一部は、重力により溝１８７に捕獲されて、液晶表示パネルの底面と第１サポートフレーム１１０の第１面１１５との間に流入する異物質の量を非常に減少させる。
【００４８】
突起１８５は、第１面１１５上に帯形状に配置されている。突起１８５は液晶表示パネルの底面と第１サポートフレーム１１０の第１面１１５との間に流入した異物質の通過経路長を長くして、第１サポートフレーム１１０の第１面１１５と液晶表示パネルの底面との間に異物質が流入することを防止する。
【００４９】
このように、異物質障壁１８０は突起１８５及び前記突起１８５と第２サポートフレーム１２０との間に配置された溝１８７を含むことにより、異物質の流入を防止することができる。
【００５０】
（実施例７）
図１３は、本発明の実施例７による液晶表示パネル支持体を示した部分切開斜視図であり、図１４は、図１３のＧ部分の拡大図である。
【００５１】
本実施例において、異物質障壁を除いた構成要素は実施例１と同じなので、重複説明は省略する。
【００５２】
図１３又は図１４を参照すると、第１サポートフレーム１１０の第１面１１５には異物質障壁１９０が形成される。異物質障壁１９０は、溝１９２、溝１９２内に配置された第１突起１９４、及び第１面１１５上に配置された第２突起１９６を含む。
【００５３】
溝１９２は帯形状を有する。溝１９２は、外部から液晶表示パネルの底面と第１サポートフレーム１１０との間に流入した異物質の一部を重力により捕獲する。溝１９２の内部には、第１突起１９４が形成され、前記捕獲された異物質が前記第１突起１９４の間に入り込む。入り込んだ異物質は、液晶表示装置が衝撃を受けても、溝１９２から離脱することができない。
【００５４】
第２突起１９６は、第１サポートフレーム１１０の第１面１１５上に帯形状に配置される。第２突起１９６は、残りの異物質の通過経路を増加させて液晶表示パネルと第１サポートフレームの第１面１１５との間を前記異物質が通過することを防止する。
【００５５】
異物質障壁１９０が溝１９２、溝１９２内に配置された第１突起１９４、及び第１面１１５上に配置された第２突起１９６を含むことにより、前記異物質が異物質障壁１９０を通過することを防止することができる。
【００５６】
（実施例８）
図１５は、本発明の実施例８による液晶表示パネル支持体を示した部分切開斜視図であり、図１６は、図１５のＨ部分の拡大図である。
【００５７】
本実施例において、異物質障壁を除いた構成要素は実施例１と同じなので、重複説明は省略する。
【００５８】
図１５又は図１６を参照すると、第１サポートフレーム１１０の第１面１１５には異物質障壁２００が形成される。異物質障壁２００は、溝２０２、溝２０２内に配置された両面接着テープ２０４及び第１面１１５上に配置された突起２０６を含む。
【００５９】
溝２０２は帯形状を有し、突起２０６と第２サポートフレーム１２０との間に配置される。外部から液晶表示パネルの下部面と第１サポートフレーム１１０との間に流入した異物質の一部は、重力により溝２０２の内部に捕獲される。溝２０２の内部には両面接着テープ２０４が配置されて、前記捕獲された異物質が両面接着テープ２０４に付着される。従って、前記付着された異物質は、液晶表示装置が衝撃を受けても溝２０２から離脱されない。
【００６０】
突起２０６は第１面１１５に帯形状に形成され残りの異物質経路の長さを増加させて、前記残りの異物質が液晶表示パネルの下部面と第１サポートフレーム１１０の底面１１５との間を通過することを防止する。
【００６１】
異物質障壁２００が溝２０２、溝２０２内に配置された両面接着テープ２０４及び第１面１１５上に配置された突起２０６を備えることにより、前記異物質が異物質障壁２００を通過することを防止することができる。
【００６２】
（実施例９）
図１７は、本発明の実施例９による液晶表示パネル支持体を示した部分切開斜視図であり、図１８は、図１７のＩ部分の拡大図である。
【００６３】
本実施例において、異物質障壁を除いた構成要素は実施例１と同じなので、重複説明は省略する。
【００６４】
図１７又は図１８を参照すると、第１サポートフレーム１１０の第１面１１５には異物質障壁２１０が形成される。異物質障壁２１０は、第１隔壁２１２、第２隔壁２１４、及び緩衝部材２１６を含む。
【００６５】
第１隔壁２１２及び第２隔壁２１４は、液晶表示パネル支持体１００の中央に位置する開口を囲む閉ループ形状を有する。第１隔壁２１２は、第２隔壁２１４と第２サポートフレーム１２０との間に配置される。
【００６６】
緩衝部材２１６は、第１隔壁２１２と第２隔壁２１４との間に設けられ、長方形の断面を有する。緩衝部材２１６は、ゴム材質又はシリコン化合物のような弾性のある物質を含む。この場合、前記緩衝部材２１６が化学フィルターを含むこともできる。前記化学フィルターが、活性炭、綿、超極細糸等を含むように構成することもできる。
【００６７】
緩衝部材２１６の高さを調節して、液晶表示パネルの底面が第１隔壁２１２及び第２隔壁２１４の上部表面と接触しないようにする。緩衝部材２１６を、自動化設備により第１隔壁２１２と第２隔壁２１４との間に配置することもできる。緩衝部材２１６は、外部の衝撃を吸収して液晶表示パネルを保護し、第１サポートフレーム１１０の第１面１１５及び第１面１１５と向かい合う液晶表示パネルの底面の間を離隔させる。又、残りの異物質が緩衝部材２１６を通過することが防止される。
【００６８】
異物質障壁２１０が、第１隔壁２１２、第２隔壁２１４及び緩衝部材２１６を含むことにより、前記異物質が異物質障壁２１０を通過することを防止するとともに、外部衝撃から前記液晶表示パネルを保護することができる。
【００６９】
（実施例１０）
図１９は、本発明の実施例１０による液晶表示パネル支持体を示した部分切開斜視図であり、図２０は、図１９のＪ部分の拡大図である。
【００７０】
本実施例において、異物質障壁を除いた構成要素は実施例１と同じなので、重複説明は省略する。
【００７１】
図１９又は図２０を参照すると、第１サポートフレーム１１０の第１面１１５には異物質障壁２２０が形成される。異物質障壁２２０は、第１隔壁２２２、第２隔壁２２４、緩衝部材２２６及び溝２２８を含む。
【００７２】
溝２２８は第１隔壁２２２と第２サポートフレーム１２０との間に形成され、液晶表示パネルの下部面と第１サポートフレーム１１０との間に流入した異物質の一部を捕獲する。
【００７３】
第１隔壁２２２及び第２隔壁２２４は、液晶表示パネル支持体１００の中央に位置する開口を囲む閉ループ形状を有する。第１隔壁２２２は、第２隔壁２２４と第２サポートフレーム１２０との間に配置される。
【００７４】
緩衝部材２２６は、第１隔壁２２２と第２隔壁２２４との間に設けられ、長方形断面を有する。緩衝部材２２６は、ゴム材質又はシリコン化合物のような弾性のある物質を含む。この際、前記緩衝部材２２６が化学フィルターを含むこともできる。前記化学フィルターが、活性炭、綿、超極細糸等を含むように構成することもできる。
【００７５】
緩衝部材２２６の高さを調節して、液晶表示パネルの底面が第１隔壁２２２及び第２隔壁２２４の上部表面と接触しないようにする。緩衝部材２２６を、自動化設備により第１隔壁２２２と第２隔壁２２４との間に配置することもできる。緩衝部材２２６は、外部の衝撃を吸収して液晶表示パネルを保護し、第１サポートフレーム１１０の第１面１１５及び第１面１１５と向かい合う液晶表示パネルの底面の間を離隔させる。又、残りの異物質が緩衝部材２２６を通過することが防止される。
【００７６】
異物質障壁２２０が、第１隔壁２２２、第２隔壁２２４、緩衝部材２２６、及び溝２２８を含むことにより、前記異物質が異物質障壁２２０を通過することを防止するとともに、外部衝撃から前記液晶表示パネルを保護することができる。
【００７７】
（実施例１１）
図２１は、本発明の実施例１１による液晶表示パネル支持体の一部分を示す斜視図である。
【００７８】
本実施例において、溝を除いた構成要素は実施例１０と同じなので、重複説明は省略する。
【００７９】
図２１を参照すると、複数個の突起２２９′が溝２２８内に配置される。重力により捕獲された異物質は、突起２２９′の間に入り込む。
【００８０】
異物質障壁２２０′が溝２２８内に配置された突起２２９′を更に含むので、液晶表示装置が衝撃を受けても前記捕獲された異物質が溝２２８から離脱されない。
【００８１】
（実施例１２）
図２２は、本発明の実施例１２による液晶表示パネル支持体の一部分を示す斜視図である。
【００８２】
本実施例において、溝を除いた構成要素は実施例１０と同じなので、重複説明は省略する。
【００８３】
図２２を参照すると、両面接着テープ２２９"が溝２２８内に配置され、重力により捕獲された異物質は両面接着テープ２２９"に付着する。
【００８４】
従って、異物質障壁２２０"が溝２２８内に配置された両面接着テープ２２９"を更に含むことにより、液晶表示装置が衝撃を受けても前記捕獲された異物質は溝２２８から離脱されない。
【００８５】
（実施例１３）
図２３は、本発明の実施例１３による液晶表示パネル支持体を示した斜視図であり、図２４は、図２３のＫ部分の拡大図である。
【００８６】
本実施例において、異物質障壁を除いた構成要素は実施例１と同じなので、重複説明は省略する。
【００８７】
図２３又は図２４を参照すると、第１サポートフレーム１１０の第１面１１５には、異物質障壁２３０が形成される。異物質障壁２３０は、緩衝部材２３５及び突起２３３を含む。
【００８８】
突起２３３は、第１面１１５上に、液晶表示パネル支持体１００の中央部の空洞を囲むように配置される。突起２３３は、その上部に配置された緩衝部材２３５と第１面１１５との間の摩擦力を増加させて緩衝部材２３５を固定し、外部から液晶表示パネルの下部面と第１面１１５との間に流入するる異物質の経路距離を長くして、前記異物質が異物質障壁２３０を通過することを防止する。
【００８９】
緩衝部材２３５は、突起２３３上に配置され、長方形断面を有する。緩衝部材２３５は、ゴム材質又はシリコン化合物のような弾性のある物質を含む。この際、前記緩衝部材２３５が化学フィルターを含むこともできる。前記化学フィルターが、活性炭、綿、超極細糸等を含むように構成することもできる。
【００９０】
なお、突起２３３と第２サポートフレーム１２０との間に溝（図示せず）を形成することもできる。又、前記溝（図示せず）の内部に、両面接着テープ又は複数個の追加的な突起を配置することもできる。
【００９１】
このように異物質障壁２３０が突起２３３及び緩衝部材２３５を含むことにより、異物質が液晶表示パネルの下部面と第１面１１５との間に流入することを防止することができる。
【００９２】
図２５は、本発明の一実施例によるバックライトアセンブリの分解斜視図である。
【００９３】
本実施例において、実施例１と同じ構成要素についての重複説明は省略する。
【００９４】
図２５を参照すると、バックライトアセンブリ６００は、液晶表示パネル支持体１００、ランプユニット３００′、第１収納容器４００、第２収納容器５００を含む。
【００９５】
第１収納容器４００は、第１底面４１０及び第１側壁４２０で構成される。第１収納容器４００は、メタル、プラスチック等から構成することができる。
【００９６】
第１底面４１０は長方形状を有し、第１側壁４２０は第１底面４１０のエッジに配置されて収納空間４０５を形成する。前記第１側壁４２０は、第１側面４２２及び第１側面４２２に対応する第２側面４２４を含む。第１収納容器４００を固定するための第１ブラケット４２５及び第２ブラケット４２６は、第１側面４２２及び第２側面４２４からそれぞれ突出する。前記第１側面４２２及び前記第２側面４２４上に複数の第１ブラケット４２５及び第２ブラケット４２６を形成することもできる。本実施例では、第１ブラケット４２５及び第２ブラケット４２６が２つずつ形成される。第１ブラケット４２５及び第２ブラケット４２６には、それぞれ、２つの第１ねじ締結孔４２５ａ及び２つの第２ねじ締結孔４２６ａが形成される。
【００９７】
ランプユニット３００′は、第１収納容器４００の収納空間４０５に配置される。ランプユニット３００′は、反射板３１０′、導光板３２０′、ランプアセンブリ３３０及び光学シート類３４０を含む。
【００９８】
反射板３１０′は、第１収納容器４００の第１底面４１０に配置される。反射板３１０′は、光反射率に優れた物質を含む。導光板３２０′は、反射板３１０′の上面に装着される。導光板３２０′は、直六面体形状又はウェッジ形状を含む。
【００９９】
ランプアセンブリ３３０は、導光板３２０′の側面に配置される。ランプアセンブリ３３０は、ランプ３３２及びランプカバー３３４で構成される。
【０１００】
ランプ３３２は、導光板３２０′の側面と向かい合うように配置され、冷陰極線管方式のランプを用いることができる。ランプカバー３３４はランプ３３２を囲み、ランプ３３２を導光板３２０′の側面に結合する。
【０１０１】
光学シート類３４０は導光板３２０′の上面に装着され、導光板３２０′から出射された光の輝度をより均一にする。光学シート類３４０は、拡散シート、プリズムシート等を含む。光学シート類３４０には固定部３４２が突出し、固定部３４２は固定孔３４３を含む。光学シート類３４０は、複数の固定部３４２を含むこともできる。
【０１０２】
液晶表示パネル支持体１００は、第１収納容器４００に結合される。液晶表示パネル支持体１００は、ランプユニット３００′が第１収納容器４００から離脱されることを防止する。また、液晶表示パネル支持対００は、、液晶表示パネルを収納する。
【０１０３】
液晶表示パネル支持体１００は、第１サポートフレーム１１０、第２サポートフレーム１２０及び異物質障壁で構成される。
【０１０４】
第２収納容器５００は、第１収納容器４００を収納する。第２収納容器５００は、上面が開口された直六面体形状を有する。第２収納容器５００は、第２底面５１０及び第２側壁５２０で構成される。第２側壁５２０うちの１つの上部表面には、第１収納容器４００の第１ブラケット４２５の第１ねじ締結孔４２５ａ及び第２ブラケット４２６の第２ねじ締結孔４２６ａと対応する部分には、第３ねじ締結孔５２２及び第４ねじ締結孔５２４が形成される。第１ねじ５２６ａは、第１ねじ締結孔４２５ａと第４ねじ締結孔５２４とに締結され、第２ねじ（図示せず）は第２ねじ締結孔４２６ａと第３ねじ締結孔５２２とに締結される。
【０１０５】
固定ピン５２７は、第２収納容器５００の第２側壁５２０の上部表面に配置されて光学シート類３４０の固定部３４２に形成された固定孔３４３と結合される。この際、第２収納容器５００の第２側壁５２０の上部表面に複数の固定ピンを配置するることもできる。
【０１０６】
第２収納容器５００の第２側壁５２０の側面には、前述した液晶表示パネル支持体１００の結合孔１２５ａとフック結合するための結合突起５２８が形成される。
【０１０７】
図２６は、本発明の一実施例による液晶表示装置の分解斜視図である。
【０１０８】
本実施例において、上述した実施例と同一の構成要素について、重複説明は省略する。
【０１０９】
図２６を参照すると、液晶表示装置９００は、第１収納容器４００、ランプユニット３００′、液晶表示パネル７００、液晶表示パネル支持体１００、第２収納容器５００及びシャーシ８００で構成される。
【０１１０】
液晶表示パネル７００は、液晶表示パネル支持体１００の第１サポートフレーム１１０上に装着される。第２サポートフレーム１２０は、液晶表示パネル７００の移動を防止する。
【０１１１】
液晶表示パネル７００は、ＴＦＴ基板７１０、液晶層７３０及びカラーフィルター基板７２０で構成される。ＴＦＴ基板７１０とカラーフィルター基板７２０は、相互対応して結合され、ＴＦＴ基板７１０とカラーフィルター基板７２０との間には液晶層７３０が挿入される。
【０１１２】
シャーシ８００は液晶表示パネル７００の離脱を防止し、外部から加わる衝撃により液晶表示パネル７００が破損することを防止する役割を果たす。
【０１１３】
シャーシ８００は、上部シャーシ壁８１０及び複数のシャーシ側壁８２０を含む。
【０１１４】
上部シャーシ壁８１０の中央部分は開口され、液晶表示パネル７００のカラーフィルター基板７２０の中央部が露出され、上部シャーシ壁８１０は四角形状を有する。
【０１１５】
シャーシ側壁８２０は、上部シャーシ壁８１０の縁に配置されて液晶表示パネル７００を囲む。
【０１１６】
上部シャーシ壁８１０には、第１補助結合孔８３０ａ及び第２補助結合孔８３０ｂが形成される。このとき、上部シャーシ壁８１０に複数の第１補助結合孔及び第２補助結合孔を形成することもできる。本実施例において、上部シャーシ壁８１０に４つの第１補助結合孔８３０ａと４つの第２補助結合孔８３０ｂが形成される。第１補助結合孔８３０ａ及び第２補助結合孔８３０ｂは、それぞれ第３ねじ締結孔５２２及び第４ねじ締結孔５２４と対応する位置に形成される。第３ねじ締結孔５２２及び第１補助結合孔８３０ａは、第１ねじ５２６ａにより共に締結される。第４ねじ締結孔５２４及び第２補助結合孔８３０ｂは、第２締結ねじ５２６ｂによって共に締結される。
【０１１７】
以上で詳細に説明したように、液晶表示パネル支持体が異物質障壁を含むように構成することにより、外部から前記支持体と前記液晶表示パネルとの間に異物質が流入することを防止して、映像の表示品質を向上させることができる。
【０１１８】
以上、本発明の実施例によって詳細に説明したが、本発明はこれに限定されず、本発明が属する技術分野において通常の知識を有するものであれば本発明の思想と精神を離れることなく、本発明を修正または変更できる。
【図面の簡単な説明】
【０１１９】
【図１】本発明の一実施例による液晶表示パネル支持体を示した斜視図である。
【図２】図１のＡ−Ａ′断面図である。
【図３】本発明の実施例２による液晶表示パネル支持体を示した部分切開斜視図である。
【図４】図３のＢ部分の拡大図である。
【図５】本発明の実施例３による液晶表示パネル支持体の部分切開斜視図である。
【図６】図５のＣ部分の拡大図である。
【図７】本発明の実施例４による液晶表示パネル支持体を示した部分切開斜視図である。
【図８】図７のＤ部分の拡大図である。
【図９】本発明の実施例５による液晶表示パネル支持体を示した斜視図である。
【図１０】図９のＥ部分の拡大図である。
【図１１】本発明の実施例６による液晶表示パネル支持体を示した部分切開斜視図である。
【図１２】図１１のＦ部分の拡大図である。
【図１３】本発明の実施例７による液晶表示パネル支持体を示した部分切開斜視図である。
【図１４】図１３のＧ部分の拡大図である。
【図１５】本発明の実施例８による液晶表示パネル支持体を示した部分切開斜視図である。
【図１６】図１５のＨ部分の拡大図である。
【図１７】本発明の実施例９による液晶表示パネル支持体を示した部分切開斜視図である。
【図１８】図１７のＩ部分の拡大図である。
【図１９】本発明の実施例１０による液晶表示パネル支持体を示した部分切開斜視図である。
【図２０】図１９のＪ部分の拡大図である。
【図２１】本発明の実施例１１による液晶表示パネル支持体の一部分を示す斜視図であり、溝に突起が形成されたことを示した図である。
【図２２】本発明の実施例１２による液晶表示パネル支持体の一部分を示す斜視図であり、溝に両面接着テープが形成されたことを示した斜視図である。
【図２３】本発明の実施例１３による液晶表示パネル支持体を示した部分切開斜視図である。
【図２４】図２３のＫ部分の拡大図である。
【図２５】本発明の一実施例によるバックライトアセンブリの分解斜視図である。
【図２６】本発明の一実施例による液晶表示装置の分解斜視図である。
【符号の説明】
【０１２０】
１００    液晶表示パネル支持体
１０５    開口
１１０    第１サポートフレーム
１２０    第２サポートフレーム
１２５    結合部
１２５ａ    結合孔
１３０，１４０，１５０，１６０，１７０，１８０，１９０，２００，２１０，２２０，２２０′，２２０"，２３０    異物質障壁
１５２，１６２，１８７，１９２，２０２，２２８  溝
１５５，２０４，２２９"    両面接着テープ
１６５，１７５，１８５，２０６，２２９′，２３３    突起
１９４    第１突起
１９６    第２突起
２１２，２２２    第１隔壁
２１４，２２４    第２隔壁
２１６，２２６，２３５    緩衝部材
３００，７００    液晶表示パネル
３００′    ランプユニット
３１０    底面
３１０′    反射板
３２０′    導光板
３３０    ランプアセンブリ
３３２    ランプ
３３４    ランプカバー
３４０    光学シート類
３４２    固定部
３４３    固定孔
４００    第１収納容器
４０５    収納空間
４２５    第１ブラケット
４２５ａ    第１ねじ締結孔
４２６    第２ブラケット
４２６ａ    第２ねじ締結孔
５００    第２収納容器
５２２    第３ねじ締結孔
５２４    第４ねじ締結孔
５２６ａ    第１ねじ
５２６ｂ    第２ねじ
５２７    固定ピン
５２８    結合突起
６００    バックライトアセンブリ
７１０    ＴＦＴ基板
７２０    カラーフィルター基板
７３０    液晶層
８００    シャーシ
８３０ａ    第１補助結合孔
８３０ｂ    第２補助結合孔
９００    液晶表示装置
【図１】
2005321614.tif 000003
【図２】
2005321614.tif 000004
【図３】
2005321614.tif 000005
【図４】
2005321614.tif 000006
【図５】
2005321614.tif 000007
【図６】
2005321614.tif 000008
【図７】
2005321614.tif 000009
【図８】
2005321614.tif 000010
【図９】
2005321614.tif 000011
【図１０】
2005321614.tif 000012
【図１１】
2005321614.tif 000013
【図１２】
2005321614.tif 000014
【図１３】
2005321614.tif 000015
【図１４】
2005321614.tif 000016
【図１５】
2005321614.tif 000017
【図１６】
2005321614.tif 000018
【図１７】
2005321614.tif 000019
【図１８】
2005321614.tif 000020
【図１９】
2005321614.tif 000021
【図２０】
2005321614.tif 000022
【図２１】
2005321614.tif 000023
【図２２】
2005321614.tif 000024
【図２３】
2005321614.tif 000025
【図２４】
2005321614.tif 000026
【図２５】
2005321614.tif 000027
【図２６】
2005321614.tif 000028